(57)【要約】      （修正有）【課題】石油類・水等の貯蔵タンクの塗膜剥離に関わる塗膜剥離装置を提供する。【解決手段】ノズルアセンブリー（イ）と塗膜剥離室（ウ）及び駆動枠１２で構成した塗膜剥離装置において、該ノズルアセンブリー（イ）には１台のモーター１と２個のローター３を配設し、該ローター３を同期回転させながら、各々のローター３に設けたノズルから超高圧水を噴出させる。塗膜剥離室（ウ）は３個の車輪９で支えられ、該塗膜剥離室（ウ）の下面に配設した全周ブラシ６によって剥離面との間をシールするとともに上面のフランジ４′にはノズルアセンブリ（イ）を載置し、フランジ４′に設けたボルト穴５とノズルアセンブリ（イ）のボルト穴５を任意の角度に合わせ接合可能とし、その後部にＬ型排気管８を設けた。【選択図】図１
0003224124.tif 000002
【実用新案登録請求の範囲】
【請求項１】
ノズルアセンブリー（イ）と塗膜剥離室（ウ）及び駆動枠（１２）で構成した塗膜剥離装置（ア）において、該ノズルアセンブリー（イ）には１台のモーター（１）と２個のローター（３）を配設し、該ローター（３）を同期回転させながら、各々のローター（３）に設けたノズル（３′）から超高圧水を噴出させることを特徴とする塗膜剥離装置。
【請求項２】
前記塗膜剥離室（ウ）は３個の車輪（９）で支えられ、該塗膜剥離室（ウ）の下面に配設した全周ブラシ（６）によって剥離面との間をシールするとともに上面のフランジ（４′）には前記ノズルアセンブリ（イ）を載置し、フランジ（４′）に設けたボルト穴（５）と前記ノズルアセンブリ（イ）のボルト穴（５）を任意の角度に合わせ接合可能とし、その後部にＬ型排気管（８）を設けたことを特徴とする請求項１に記載の塗膜剥離装置。
【請求項３】
前記塗膜剥離室（ウ）において、走行用モーター（１０）および磁気車輪（１１）を備えた方形の駆動枠（１２）に、枠支持ピン（１４）を回動自在に配設し、この枠支持ピン（１４）を中心に自動車のサスペンションの如く進行方向の操舵および剥離面の凹凸に応じて該磁気車輪（１１）が上下する接地機能を持たせ、これに取り付けた３本のピン（１３）を前記塗膜剥離室フランジ（４′）に取り付けた３つのピン孔（７）に挿入し前記ノズルアセンブリ（イ）を取り付けた塗膜剥離室（ウ）と剥離面との距離を正確に保ちながら移動して塗膜を剥離することを特徴とする請求項１又は請求項２に記載の塗膜剥離装置。
【考案の詳細な説明】
【技術分野】
【０００１】  本考案は、石油類・水等（以下石油タンク）貯蔵タンクの塗膜剥離に関する。
【背景技術】
【０００２】  サンドブラスト用研削材として広く使用されていた河川及び海砂は自然環境の保護からその採取が禁じられ、更に山の岩石を粉砕してブラスト用砂を製造していた。「けい砂」は人が吸入によってじん肺を引き起こす危険が高いため２００７年４月よりＪＩＳの指定研削材から除外された現状である。更にこれに代わるブラスト用研削材としてはガーネットのほかフェロニッケルスラグや製鋼スラグ等が代用研削材として製造、販売されている。しかし作業員が塗料や研削材の粉末を吸入することによる危険を防げないことには変わりがない。
本考案は、石油類・水等（以下石油タンク）貯蔵タンクの塗膜剥離に関する。
【先行技術文献】
【特許文献】
【０００３】
【特許文献１】特開平０２−３６０９９
【考案の概要】
【考案が解決しようとする課題】
【０００５】  密閉されたタンク内で圧縮空気によってブラスト材を吹き付ける従来からの工法では作業員の肺が塗膜や研削材の有害な粉塵にさらされ「安全」が守れない。更に飛散したこれら粉塵はタンク内に堆積し、これを人力によってかき集め取り出すことは難儀な３Ｋ作業である。
即ち、本件課題のごとくガラスフレークなど強固で厚肉の塗装を研削材で剥がそうとしても「埃」の出ない剥離方法は存在しないのが現状である。即ち解決しようとする課題は従来のブラスト工法を改め、埃の出ない剥離手段に変えることが重要である。
「埃」の出ない手段とは「水」であり「超高圧水洗浄」である。
しかし高圧水で洗浄するのはよいが、その剥離面が水で濡れたり水滴や湿気が残ったのでは短時間で錆が発生し赤錆が成長して事後の作業（鉄板の厚さ測定、亀裂等の検査や塗装の復旧…）に支障をきたすという課題がある。
【課題を解決するための手段】
【０００６】  本考案は、ノズルアセンブリ（イ）と塗膜剥離室（ウ）及び駆動枠（１２）で構成した塗膜剥離装置（ア）において、該ノズルアセンブリ（イ）には１台のモーター（１）と２個のローター（３）を配設し、該ローター（３）を同期回転させながら、各々のローター（３）に設けたノズルから超高圧水を噴出させることを特徴とし、前記塗膜剥離室（ウ）は３個の車輪（９）で支えられ、該塗膜剥離室（ア）の下面に配設した全周ブラシ（６）によって剥離面との間をシールするとともに上面のフランジ（４′）には前記ノズルアセンブリ（イ）を載置し、フランジ（４、４′）に設けたボルト穴（５）と前記ノズルアセンブリ（イ）のボルト穴（５）を任意の角度に合わせ接合可能とし、その後部にＬ型排気管（８）を設けたものである。この排気管（８）の吸い口は水をよく吸い取るため剥離面近くまで伸びている。そして、前記塗膜剥離室（ウ）において、走行用モーター（１０）および磁気車輪（１１）を備えた方形の駆動枠（１２）に、自動車のサスペンションの如く進行方向の操舵および剥離面の凹凸に応じて該磁気車輪（１１）が上下する接地機能を持たせた駆動装置を配設し、これに取り付けた３本のピン（１３）を前記塗膜剥離室フランジ（４′）に取り付けた３つのピン孔（７）に挿入し前記ノズルアセンブリ（イ）を取り付けた塗膜剥離室（ウ）と剥離面との距離を正確に保ちながら移動して塗膜を剥離するようにした塗膜剥離装置（ア）により、課題を解決するものである。
【考案の効果】
【０００７】１）  （環境面）超高圧水で塗膜を剥離するのでブラスト用研削材が不要で産業廃棄物の発生が全くない。
２）  （エネルギー面）研削材を製造・運搬のエネルギーが不要である。
３）  （安全面）塗膜剥離はロボット工法で、粉塵吸引が伴う３Ｋ作業がなくなり持続可能な作業環境となる。
４）  （品質面）再塗膜の付着力は３倍になる。
５）  （性能面）従来技術に比べ５倍の面積が剥離可能であり、短工期が実現できる。
【図面の簡単な説明】
【０００８】
【図１】本考案の塗膜剥離装置の分解斜視図である。
【図２】本考案の塗膜剥離装置のノズルアセンブリの裏面図である。
【図３】本考案の実施例図で、進行方向に対するローターの角度を変化させたときの水量の配分を示す図である。
【図４】本考案の実施例で、塗膜剥離装置使用時の形態例を示す図面である。
【考案を実施するための形態】
【０００９】  本考案の塗膜剥離装置は図１に記載の、ノズルアセンブリ（イ）と塗膜剥離室（ウ）及び駆動枠（１２）より構成されており、図４に記載の超高圧水ポンプから超高圧水を塗膜剥離装置に供給し、超高圧水を剥離対象面に噴射しながら移動するものであり、使用済の排水は図４に記載の吸引車で吸引し、逆洗排水槽に貯留することで、剥離面に水滴や湿気が残らないので、錆の発生が無い。
【実施例】
【００１０】    以下、図面に基づいて実施例を説明する。
図１は、本考案の塗膜剥離装置（ア）の分解斜視図であり、該塗膜剥離装置（Ａ）はノズルアセンブリ（イ）と塗膜剥離室（ウ）及び駆動枠（１２）より構成されている。ノズルアセンブリ（イ）と塗膜剥離室（ウ）を該駆動枠（１２）に固着する。図２は、前記ノズルアセンブリ（イ）の裏面図であり、該ノズルアセンブリ（イ）は、１台のモータ（１）と２個の３葉式のローター（３）で構成し、該ローター（３）の先端部には高圧水入り口（２）に連通したノズル（３′）を設けている。該ノズル（３′）は１葉に１個でも複数個設けてもよい。
図３は、塗膜剥離装置（ア）の実施例図で、進行方向に対するローター（３）の角度を変化させたときの水量の配分を示す図である。
１．図３に示す２つのローター（３）各々にノズル（３′）を設けたノズルアセンブリ（イ）のフランジボルト穴（５）によってその角度を変えるとＡのとおり剥離幅を最小（１／２）に、同じくボルト穴（５）の位置をＣのとおりにするとはくり幅が最大に、また、Ｂのごとく角度をその中間の位置にすると剥離の重なり部が任意に変更可能となりこの部分には他の部分の２倍の水が噴射される。即ち最も剥離が難しい溶接（クレーター）部の塗膜を剥離することができる。
２．塗膜剥離装置から水を一滴も外部に漏らさないことが最も重要で、そのため請求項２の如く
１）塗膜剥離室のノズル（３′）と、剥離面との距離が常に正常で乱れないために余裕を設けた３点のピン構造とし剥離面との間隔を保ちやさしく引き回し移動する。
２）駆動装置（１５）と上記塗膜剥離室（ア）の連結についても同様３ピン構造で引き回し溶接線や剥離面の凹凸に対してもやさしく水平移動させることで長時間の運転においても瞬時の水漏れも起こさないことを特徴とする
【産業上の利用可能性】
【００１１】我が国は石油の輸入大国であり、その備蓄のため法定検査の必要な石油タンク数は全国で約７０００基に達する。これらのタンクの検査時の塗膜剥離に本塗膜剥離装置を利用するようになれば国全体としてその利益は莫大である。
【符号の説明】
【００１２】１  モータ
２  高圧水入り口
３  ローター
３′ノズル
４  フランジ
４′フランジ
５  ボルト穴
６  ブラシ
７  ピン穴
８  排気管
９  車輪
１０  走行用モーター
１１  磁気車輪
１２  駆動枠
１３  ピン
１４  枠支持ピン
１５  駆動装置
ア  塗膜剥離装置
イ  ノズルアセンブリー
ウ  塗膜剥離室
【図１】
0003224124.tif 000003
【図２】
0003224124.tif 000004
【図３】
0003224124.tif 000005
【図４】
0003224124.tif 000006